【手続補正書】
【提出日】平成17年3月7日(2005.3.7)
【手続補正１】
【補正対象書類名】明細書
【補正対象項目名】特許請求の範囲
【補正方法】変更
【補正の内容】
【特許請求の範囲】
【請求項１】
用紙に画像を形成する画像形成装置において、
複数の給紙部と、
用紙の一端から突出した耳部を有するタブ紙に画像を形成する画像形成部と、
前記画像形成部によりタブ紙の耳部に画像を形成するタブ紙プリントモードを設定するためのモード設定部と、
前記複数の給紙部のうちタブ紙が収納される給紙部と前記タブ紙1セット当たりの枚数が予め設定されていることに応じて、前記モード設定部の設定を可能にし、タブ紙が収納される給紙部と前記タブ紙1セット当たりの枚数が設定されていない場合には、前記モード設定部の設定を出来ないようにする制御部とを備えることを特徴とする画像形成装置。
【請求項２】
タブ紙を収納する給紙部を設定する為の給紙設定部と前記給紙部に収納した前記タブ紙1セット当たりの枚数を設定する為の枚数設定部とを備えることを特徴とする請求項１記載の画像形成装置。
【請求項３】
前記制御部は、前記給紙設定部によりタブ紙を収納する給紙部の設定及び前記枚数設定部により前記給紙部に収納する該タブ紙1セット当たりの枚数の設定が予めされていることに応じて、前記タブ紙プリントモードの設定が可能な入力画面を表示することを特徴とする請求項２記載の画像形成装置。
【請求項４】
前記制御部は、前記給紙設定部によりタブ紙を収納する給紙部の設定及び前記枚数設定部により前記給紙部に収納する前記タブ紙1セット当たりの枚数の設定がされていない場合には、前記タブ紙プリントモードの設定が可能な入力画面を表示しないことを特徴とする請求項３記載の画像形成装置。
【請求項５】
前記入力画面とは、前記タブ紙プリントモードを設定するキーを含む入力画面であることを特徴とする請求項４記載の画像形成装置。
【請求項６】
前記制御部は、予め設定されているタブ紙1セット当たりの枚数を前記タブ紙プリントモードで表示する画面中に表示し、前記枚数の設定を要求しないことを特徴とする請求項４記載の画像形成装置。
【請求項７】
用紙に画像を形成する画像形成装置において、
複数の給紙部と、
用紙の一端から突出した耳部を有するタブ紙に画像を形成する画像形成部と、
前記画像形成部によりタブ紙の耳部に画像を形成するタブ紙プリントモードを設定するためのモード設定部とを備え、
前記モード設定部は、前記タブ紙プリントモードの設定を行なう前に、前記複数の給紙部のうちタブ紙を収容する給紙部と前記タブ紙1セット当たりの枚数とが予め設定されている場合には、前記タブ紙プリントモードの設定の際に、少なくともタブ紙1セット当たりの枚数の設定を要求せずに、タブ紙を収納する給紙部と前記タブ紙1セット当たりの枚数とが設定されていない場合には、前記タブ紙プリントモードの設定の際に、タブ紙を収納する給紙部と前記タブ紙1セット当たりの枚数の設定を要求することを特徴とする画像形成装置。
【請求項８】
タブ紙を収納する給紙部を設定する為の給紙設定部と該給紙部に収納した前記タブ紙1セット当たりの枚数を設定する為の枚数設定部とを備えることを特徴とする請求項７記載の画像形成装置。
【請求項９】
前記タブ紙プリントモードの設定の際に前記要求に応じて設定されたタブ紙が収納される給紙部と前記タブ紙1セット当たりの枚数を記憶する記憶部とを備えることを特徴とする請求項７記載の画像形成装置。
【請求項１０】
前記モード設定部は、タブ紙1セット当たりの枚数の設定が前記タブ紙プリントモードの設定の際に要求された場合には、次回のタブ紙プリントモードの設定を行なう際に少なくともタブ紙1セット当たりの枚数の設定を要求しないことを特徴とする請求項９記載の画像形成装置。
【請求項１１】
設定された該タブ紙1セット当たりの枚数を前記タブ紙プリントモードの設定画面中に表示する制御部を有することを特徴とする請求項７記載の画像形成装置。
【請求項１２】
用紙の一端から突出する耳部を有するタブ紙に画像を形成する画像形成装置の制御方法であって、
タブ紙が収容される給紙部を設定するステップと、
該タブ紙1セット当たりの枚数を設定するステップと
前記タブ紙の耳部に画像を形成するタブ紙プリントモードの設定をするステップと、
タブ紙が収容される給紙部と該タブ紙1セット当たりの枚数とが予め設定されていることに応じて、前記タブ紙プリントモードの設定を可能にし、タブ紙が収容される給紙部と該タブ紙1セット当たりの枚数とが設定されていない場合には、前記タブ紙プリントモードの設定を禁止するステップとを有することを特徴とする画像形成装置の制御方法。
【請求項１３】
用紙の一端から突出する耳部を有するタブ紙に画像を形成する画像形成装置の制御方法であって、
タブ紙が収容される給紙部を設定するステップと、
該タブ紙1セット当たりの枚数を設定するステップと、
前記タブ紙の耳部に画像を形成するタブ紙プリントモードの設定をするステップと、
タブ紙が収容される給紙部と該タブ紙1セット当たりの枚数とが設定されている場合には、前記タブ紙プリントモードを設定するときに、少なくともタブ紙1セット当たりの枚数の設定を要求しないステップとを有することを特徴とする画像形成装置の制御方法。
【請求項１４】
用紙に画像を形成する画像形成装置において、
用紙の一端から突出した耳部を有するタブ紙に画像を形成する画像形成部と、
前記画像形成部によりタブ紙の耳部に画像を形成するタブ紙プリントモードを設定するためのモード設定部と、
前記タブ紙1セット当たりの枚数が予め設定されていることに応じて、前記モード設定部の設定を可能にし、前記タブ紙1セット当たりの枚数が設定されていない場合には、前記モード設定部の設定を出来ないようにする制御部とを備えることを特徴とする画像形成装置。
【請求項１５】
用紙に画像を形成する画像形成装置において、
用紙の一端から突出した耳部を有するタブ紙に画像を形成する画像形成部と、
前記画像形成部によりタブ紙の耳部に画像を形成するタブ紙プリントモードを設定するためのモード設定部とを備え、
前記モード設定部は、前記タブ紙プリントモードの設定を行なう前に、前記タブ紙1セット当たりの枚数とが予め設定されている場合には、前記タブ紙プリントモードの設定の際に、少なくともタブ紙1セット当たりの枚数の設定を要求せずに、前記タブ紙1セット当たりの枚数とが設定されていない場合には、前記タブ紙プリントモードの設定の際に、前記タブ紙1セット当たりの枚数の設定を要求することを特徴とする画像形成装置。
【請求項１６】
用紙の一端から突出する耳部を有するタブ紙に画像を形成する画像形成装置の制御方法であって、
該タブ紙1セット当たりの枚数を設定するステップと、
前記タブ紙の耳部に画像を形成するタブ紙プリントモードの設定をするステップと、
該タブ紙1セット当たりの枚数が予め設定されていることに応じて、前記タブ紙プリントモードの設定を可能し、該タブ紙1セット当たりの枚数が設定されていない場合には、前記タブ紙プリントモードの設定を禁止するステップとを有することを特徴とする画像形成装置の制御方法。
【請求項１７】
用紙の一端から突出する耳部を有するタブ紙に画像を形成する画像形成装置の制御方法であって、
該タブ紙1セット当たりの枚数を設定するステップと、
前記タブ紙の耳部に画像を形成するタブ紙プリントモードの設定をするステップと、
該タブ紙1セット当たりの枚数とが設定されている場合には、前記タブ紙プリントモードを設定するときに、少なくともタブ紙1セット当たりの枚数の設定を要求しないステップとを有することを特徴とする画像形成装置の制御方法。
【手続補正２】
【補正対象書類名】明細書
【補正対象項目名】００１１
【補正方法】変更
【補正の内容】
【００１１】
【課題を解決するための手段】
上記目的を達成するために、請求項１記載の画像形成装置は、用紙に画像を形成する画像形成装置において、複数の給紙部と、用紙の一端から突出した耳部を有するタブ紙に画像を形成する画像形成部と、前記画像形成部によりタブ紙の耳部に画像を形成するタブ紙プリントモードを設定するためのモード設定部と、前記複数の給紙部のうちタブ紙が収納される給紙部と前記タブ紙1セット当たりの枚数が予め設定されていることに応じて、前記モード設定部の設定を可能にし、タブ紙が収納される給紙部と前記タブ紙1セット当たりの枚数が設定されていない場合には、前記モード設定部の設定を出来ないようにする制御部とを備えることを特徴とする。
【手続補正３】
【補正対象書類名】明細書
【補正対象項目名】００１７
【補正方法】変更
【補正の内容】
【００１７】
上記目的を達成するために、請求項７記載の画像形成装置は、用紙に画像を形成する画像形成装置において、複数の給紙部と、用紙の一端から突出した耳部を有するタブ紙に画像を形成する画像形成部と、前記画像形成部によりタブ紙の耳部に画像を形成するタブ紙プリントモードを設定するためのモード設定部とを備え、前記モード設定部は、前記タブ紙プリントモードの設定を行なう前に、前記複数の給紙部のうちタブ紙を収容する給紙部と前記タブ紙1セット当たりの枚数とが予め設定されている場合には、前記タブ紙プリントモードの設定の際に、少なくともタブ紙1セット当たりの枚数の設定を要求せずに、タブ紙を収納する給紙部と前記タブ紙1セット当たりの枚数とが設定されていない場合には、前記タブ紙プリントモードの設定の際に、タブ紙を収納する給紙部と前記タブ紙1セット当たりの枚数の設定を要求することを特徴とする。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】変更
【補正の内容】
【００２０】
請求項９記載の画像形成装置は、請求項７記載の画像形成装置において、前記タブ紙プリントモードの設定の際に前記要求に応じて設定されたタブ紙が収納される給紙部と前記タブ紙1セット当たりの枚数を記憶する記憶部とを備えることを特徴とする。
【手続補正６】
【補正対象書類名】明細書
【補正対象項目名】００２１
【補正方法】変更
【補正の内容】
【００２１】
請求項１０記載の画像形成装置は、請求項９記載の画像形成装置において、前記モード設定部は、タブ紙1セット当たりの枚数の設定が前記タブ紙プリントモードの設定の際に要求された場合には、次回のタブ紙プリントモードの設定を行なう際に少なくともタブ紙1セット当たりの枚数の設定を要求しないことを特徴とする。
【手続補正７】
【補正対象書類名】明細書
【補正対象項目名】００２２
【補正方法】変更
【補正の内容】
【００２２】
請求項１１記載の画像形成装置は、請求項７記載の画像形成装置において、設定された該タブ紙1セット当たりの枚数を前記タブ紙プリントモードの設定画面中に表示する制御部を有することを特徴とする。
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】変更
【補正の内容】
【００２７】
上記目的を達成するために、請求項１２記載の画像形成装置の制御方法は、用紙の一端から突出する耳部を有するタブ紙に画像を形成する画像形成装置の制御方法であって、タブ紙が収容される給紙部を設定するステップと、該タブ紙1セット当たりの枚数を設定するステップと前記タブ紙の耳部に画像を形成するタブ紙プリントモードの設定をするステップと、タブ紙が収容される給紙部と該タブ紙1セット当たりの枚数とが予め設定されていることに応じて、前記タブ紙プリントモードの設定を可能にし、タブ紙が収容される給紙部と該タブ紙1セット当たりの枚数とが設定されていない場合には、前記タブ紙プリントモードの設定を禁止するステップとを有することを特徴とする。
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】変更
【補正の内容】
【００２９】
上記目的を達成するために、請求項１３記載の画像形成装置の制御方法は、用紙の一端から突出する耳部を有するタブ紙に画像を形成する画像形成装置の制御方法であって、タブ紙が収容される給紙部を設定するステップと、該タブ紙1セット当たりの枚数を設定するステップと、前記タブ紙の耳部に画像を形成するタブ紙プリントモードの設定をするステップと、タブ紙が収容される給紙部と該タブ紙1セット当たりの枚数とが設定されている場合には、前記タブ紙プリントモードを設定するときに、少なくともタブ紙1セット当たりの枚数の設定を要求しないステップとを有することを特徴とする。
上記目的を達成するために、請求項１４記載の画像形成装置は、用紙に画像を形成する画像形成装置において、用紙の一端から突出した耳部を有するタブ紙に画像を形成する画像形成部と、前記画像形成部によりタブ紙の耳部に画像を形成するタブ紙プリントモードを設定するためのモード設定部と、前記タブ紙1セット当たりの枚数が予め設定されていることに応じて、前記モード設定部の設定を可能にし、前記タブ紙1セット当たりの枚数が設定されていない場合には、前記モード設定部の設定を出来ないようにする制御部とを備えることを特徴とする。
上記目的を達成するために、請求項１５記載の画像形成装置は、用紙に画像を形成する画像形成装置において、用紙の一端から突出した耳部を有するタブ紙に画像を形成する画像形成部と、前記画像形成部によりタブ紙の耳部に画像を形成するタブ紙プリントモードを設定するためのモード設定部とを備え、前記モード設定部は、前記タブ紙プリントモードの設定を行なう前に、前記タブ紙1セット当たりの枚数とが予め設定されている場合には、前記タブ紙プリントモードの設定の際に、少なくともタブ紙1セット当たりの枚数の設定を要求せずに、前記タブ紙1セット当たりの枚数とが設定されていない場合には、前記タブ紙プリントモードの設定の際に、前記タブ紙1セット当たりの枚数の設定を要求することを特徴とする。
上記目的を達成するために、請求項１６記載の画像形成装置の制御方法は、用紙の一端から突出する耳部を有するタブ紙に画像を形成する画像形成装置の制御方法であって、該タブ紙1セット当たりの枚数を設定するステップと、前記タブ紙の耳部に画像を形成するタブ紙プリントモードの設定をするステップと、該タブ紙1セット当たりの枚数が予め設定されていることに応じて、前記タブ紙プリントモードの設定を可能し、該タブ紙1セット当たりの枚数が設定されていない場合には、前記タブ紙プリントモードの設定を禁止するステップとを有することを特徴とする。
上記目的を達成するために、請求項１７記載の画像形成装置の制御方法は、用紙の一端から突出する耳部を有するタブ紙に画像を形成する画像形成装置の制御方法であって、該タブ紙1セット当たりの枚数を設定するステップと、前記タブ紙の耳部に画像を形成するタブ紙プリントモードの設定をするステップと、該タブ紙1セット当たりの枚数とが設定されている場合には、前記タブ紙プリントモードを設定するときに、少なくともタブ紙1セット当たりの枚数の設定を要求しないステップとを有することを特徴とする。
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】削除
【補正の内容】
【手続補正２１】
【補正対象書類名】明細書
【補正対象項目名】０１５８
【補正方法】変更
【補正の内容】
【０１５８】
【発明の効果】
以上詳細に説明したように、請求項１、７に記載の画像形成装置、並びに請求項１２、１３記載の画像形成装置の制御方法によれば、タブ紙給紙部とタブ紙による記録紙の分割数とを予め設定しておくことによって画像形成におけるタブ紙インサートモード及びタブ紙画像形成モードにおける設定を簡易にできるので、画像形成装置の操作性を向上できる。タブ紙が収納される給紙部とタブ紙1セット当たりの枚数とが予め設定されていることに応じて、タブ紙プリントモードの設定が可能になるので、タブ紙の耳部に画像を形成するための設定が容易になり、操作性の良い画像形成装置となる。